(57)【要約】  本発明は、衛星通信システムのターゲット移動装置と主局との間の通信を傍受および監視するための装置および方法であって、移動装置と衛星との間の通信は、移動装置が選択した第１バンドスポットビームを用いることにより達成され、衛星と主局との間の通信は、広帯域第２バンドリンクを用いることにより達成され、かつ、衛星は、第１バンド周波数から第２バンド周波数へのマッピング方式を変更するよう動作可能である装置および方法であって、前記装置は、受信した信号を、少なくとも１つのＲＦ第２バンド受信機および少なくとも１つの第１バンド受信機にそれぞれ送信する少なくとも１つのＲＦ第２バンド受信アンテナおよび少なくとも１つのＲＦ第１バンド受信アンテナと、前記ＲＦ第２バンド受信機およびＲＦ第１バンド受信機からの信号を受信し、かつ、伝送波を複数の周波数群に分割する中間周波数ＲＦディストリビューターと、ターゲット移動装置の識別コードおよび解読メッセージを抽出するための、第１バンド周波数スペクトルを順にカバーするよう調整されている複数の復調器と、前記中間周波数ディストリビューターから第２バンド信号を受信し、受信した周波数をそれらの時間発生にしたがって分析およびマップし、前記周波数を前記第１バンド周波数と対応付ける広角マッピングユニットと、前記通信を記録および監視するための手段とを含むことを特徴とする装置および方法を提供する。
2008537431.tif 000002
【特許請求の範囲】
【請求項１】
衛星通信システムのターゲット移動装置と主局との間の通信を傍受および監視するための装置であって、移動装置と衛星との間の通信は、移動装置が選択した第１バンドスポットビームを用いることにより達成され、衛星と主局との間の通信は、広帯域第２バンドリンクを用いることにより達成され、かつ、衛星は、第１バンド周波数から第２バンド周波数へのマッピング方式を変更するよう動作可能である装置であって、
受信した信号を、少なくとも１つのＲＦ第２バンド受信機および少なくとも１つの第１バンド受信機にそれぞれ送信する少なくとも１つのＲＦ第２バンド受信アンテナおよび少なくとも１つのＲＦ第１バンド受信アンテナと、前記ＲＦ第２バンド受信機およびＲＦ第１バンド受信機からの信号を受信し、かつ、伝送波を複数の周波数群に分割する中間周波数ＲＦディストリビューターと、
ターゲット移動装置の識別コードおよび解読メッセージを抽出するための、第１バンド周波数スペクトルを順にカバーするよう調整されている複数の復調器と、
前記中間周波数ディストリビューターから第２バンド信号を受信し、受信した周波数をそれらの時間発生にしたがって分析およびマップし、前記周波数を前記第１バンド周波数と対応付ける広角マッピングユニットと、前記通信を記録および監視するための手段とを含むことを特徴とする装置。
【請求項２】
前記第１バンドがＬバンドであり、かつ、前記第２バンドがＣバンドである請求項１に記載の装置。
【請求項３】
前記衛星が、エイセス（Ａｃｅｓ）である請求項１に記載の装置。
【請求項４】
通信システムの少なくとも１つの移動装置と主局との間の通信を傍受および監視するための装置であって、少なくとも１つの移動装置と衛星との間の通信は、移動装置が選択したＬバンドスポットビームを用いることにより達成され、かつ、衛星と主局との間の通信は、広帯域Ｃバンドリンクを用いることにより達成される装置であって、前記装置は、
受信した信号を、少なくとも１つのＲＦＣバンド受信機および少なくとも１つのＬバンド受信機にそれぞれ送信する少なくとも１つのＲＦＣバンド受信アンテナおよび少なくとも１つのＲＦＬバンド受信アンテナと、
コアースマッピングユニットおよびファインマッピングユニットに結合されている制御ユニットとを含み、
前記制御ユニットは、前記コアースマッピングユニットに、前記Ｃバンド周波数のうち少なくとも１本のＣバンド周波数を含むサブセットを実質的に同時に識別させるよう構成されており、該周波数のサブセットは、一見したところではＬバンド周波数へマップされており、前記サブセットの識別が、前記Ｃバンド周波数において検出されたエネルギーの分析を含み、
前記制御ユニットはさらに、前記ファインマッピングユニットに、前記Ｌバンド周波数へマップされている前記周波数のサブセットのうちＣバンド周波数を識別させるよう構成されていることを特徴とする装置。
【請求項５】
前記ファインマッピングユニットが、Ｌバンド周波数スペクトルを順にカバーするよう調整された複数の復調器および関連付けられたプロセッサであり、前記復調器の数が、前記Ｃバンド周波数の数より大幅に少ない請求項４に記載の装置。
【請求項６】
前記コアースマッピングユニットが、広角マッピングユニットおよび関連付けられたプロセッサである請求項４または５に記載の装置。
【請求項７】
前記Ｃバンド周波数のサブセットが、制御周波数であり、かつ、前記Ｌバンド周波数および識別されたＣバンド周波数が、制御周波数である請求項４から６のいずれか１項に記載の装置。
【請求項８】
前記Ｌバンド周波数がＢＣＣＨであり、前記サブセットがＲＡＣＨ周波数であり、かつ、前記ファインマッピングユニットが、それぞれの制御周波数における同一の独自スポットビーム番号（ＳＢ＿Ｍａｓｋ）データにしたがって前記マップされたＬバンド周波数およびＣバンド周波数を識別する請求項７に記載の装置。
【請求項９】
前記Ｃバンド周波数のサブセットが、トラフィック周波数であり、かつ、前記Ｌバンド周波数および識別されたＣバンド周波数が、トラフィック周波数である請求項４から８のいずれか１項に記載の装置。
【請求項１０】
前記ダウンリンクＬバンドの制御チャネルにおけるアクセス認可（ＡＧＣＨ）信号を発見し、前記ダウンリンクＣバンドにおける制御チャネルにおける対応するＲＡＣＨ信号を識別することをさらに含み、前記識別が、前記ＡＧＣＨ信号および前記ＲＡＣＨ信号における同一の要求参照信号を求めることを含む請求項４から９のいずれか１項に記載の装置。
【請求項１１】
前記ダウンリンクＬバンドにおいて発見したアクセス認可（ＡＧＣＨ）信号から抽出したデータにしたがって前記Ｌバンドにおけるトラフィックチャネルへと切り替え、所定の判定基準にしたがってダウンリンクＣバンドリンクにおけるチャネルにおける対応するＳＡＢＭ信号を識別することをさらに含み、後者のチャネルが、前記ダウンリンクＣバンドにおけるトラフィックチャネルである請求項１０に記載の装置。
【請求項１２】
前記トラフィック周波数を通じて伝送されている通信を監視するためのユニットをさらに含む請求項４から１１のいずれか１項に記載の装置。
【請求項１３】
前記Ｌバンド周波数が１０８７本の周波数を含み、かつ、前記Ｃバンド周波数が７０００本の周波数を含む請求項４から１２のいずれか１項に記載の装置。
【請求項１４】
前記変調器の数が１００より少ない請求項４から１３のいずれか１項に記載の装置。
【請求項１５】
前記衛星が、エイセスである請求項４から１２のいずれか１項に記載の装置。
【発明の詳細な説明】
【技術分野】
【０００１】
本発明は、衛星通信システムを傍受および監視するための装置および方法に関する。
【背景技術】
【０００２】
以下に、図１の略図を参照して、（衛星１２を含む）先行技術のネットワークシステム８の動作を簡潔に説明する。
【０００３】
かくして、先行技術のネットワークシステム８は、移動装置（ＭＥＳ）３６へおよび該装置から、例えば、前記移動装置３６が選択したスポットビーム３２および３４を含むＬバンドリンクを通じてメッセージを送受信する。
【０００４】
Ｌバンドスポットビームを通じて伝送されるダウンリンクＬバンドリンク通信は、たいていの場合、一次ゲートウェイ局ＰＧＷ１０から生起し、Ｃバンドリンク１４を通じて衛星１２へ、次いで、衛星１２から特定のローカルスポットビーム３４を通じて移動装置３６へと伝送される。
【０００５】
ＭＥＳ３６のアップリンク通信は、特定のローカルＬバンドスポットビーム３２を通じて衛星１２へ、次いで、衛星１２から広帯域Ｃバンドリンク１６を介して一次ゲートウェイ（ＰＧＷ）１０へと伝送される。
【０００６】
電話２８がＭＥＳ３６に対して発呼するか、または、ＭＥＳ３６から呼び出されると、その呼は、公衆サービス電話網２６によって主交換局（ＭＣＳ）２４へ、次いで、ＰＧＷ１０へと伝えられる。
【０００７】
同様に、セルラー電話３１がＭＥＳ３６に対して発呼するか、または、ＭＥＳ３６から呼び出されると、その呼は、ローカルセルラー式通信機３０によって主交換局（ＭＳＣ）２４へ、そしてＰＧＷ１０へと伝えられる。
【０００８】
ＭＥＳ３６が呼び出しを行い、即時割当てを要求すると、当該技術において「チャネル要求」として知られている手続きが開始される。端末３６は、Ｌバンドリンクのランダムアクセスチャネル（ＲＡＣＨ）上でメッセージを発生および伝送する。前記メッセージは、着信者番号、ユーザ端末の位置（例えば、ＧＰＳ、ＭＳＩＳＤＮ番号）、端末の識別、同期データなどの情報を含んでいる。システムは、ダウンリンクＬバンド制御チャネル（ＢＣＣＨチャネルと呼ぶ）において受信されるアクセス認可ＡＧＣＨメッセージにより前記チャネル要求へ応答する。このメッセージは、ＭＥＳ３６が切り替わる先のトラフィックチャネルの識別を含んでいる。ＭＥＳ３６およびネットワークは、３２０ミリ秒の時間フレームにおいて４０ミリ秒毎に全部で８回にわたりＳＡＢＭリンクコマンドを両側に送ることによってこれらの間の通信リンクを設定する。ＭＥＳは、引き続き、電話２８に対してトラフィックチャネルを通じてメッセージの送受信を行う。
【０００９】
衛星１２は、ＬバンドリンクのトラフィックチャネルをＣバンドリンクにおける適切なトラフィックチャネルにマップする。よって、マッピングの完了後は、ＭＥＳ３６と電話ユニットとの間の（中継衛星１２を通じた）通信が、ＬバンドリンクにおけるこのようにマップされたトラフィックチャネルとＣバンドリンクにおけるトラフィックチャネルとを通って進む。
【００１０】
なお、同じくマップされたＬバンド／Ｃバンドトラフィックチャネルは、ＴＤＭＡ形式の８つのタイムスロットを用いて、最大８本の異なる通話のメッセージを伝えることができる。
【００１１】
この手続きは、（Ｌバンドリンクを用いて）例示している先行技術の衛星を通じて通信を行うＭＥＳと、Ｃバンドリンクを通じて衛星と通信する別の電話（例えば、ＭＥＳや地上通信線電話）との間のあらゆる通話に関して実現される。よって、複数の通話に関するメッセージが、衛星１２へおよび該衛星から同時に伝送され、その結果、各々別個の通話に関するメッセージ  衛星ネットワークは、時として、ＬバンドチャネルからＣバンドチャネルへのマッピング方式を変更するよう動作可能であり、その結果、Ｌバンドにおける所与のトラフィックチャネルを、Ｃバンドにおける異なるチャネルへとマップしてもよい。上記をよりよく理解するために、所与のＭＥＳが、指定された電話に対して通話を生起したとする。規定の手続きにしたがって、Ｌバンドトラフィックチャネルが、衛星によって所与のＣバンドトラフィックチャネルへマップされ、かつ、電話間の通信がこれらチャネルを通じて伝送される。通話が終了し、ＭＥＳが別の呼を生起すると、衛星は、Ｌバンドトラフィックチャネルを別のＣバンドトラフィックチャネルへマップしてもよい。なお、例示している先行技術のネットワークでは、約２２５ＭＨｚの帯域をカバーするＣバンドリンクにおいて、約６０００チャネルが存在する。
【００１２】
衛星移動装置を通じて伝送される通信を傍受することは、警察の見張りに限らないがこれを含み多くに応用できる。例えば、セルラー式や地上通信線電話のインフラストラクチャが整っていないため、音声およびデータ通信が主に衛星移動通信を通じて実施されている国もある。明らかに、衛星を通じて伝送される通信を傍受および監視することは、とりわけ、犯罪行為を犯す陰謀を追跡し、かつ、その行為を阻止したり、犯罪や他の違反行為を犯した指名手配中の個人の居所を突き止めたりなどの予防措置を講じるにあたり重要な価値があるかもしれない。
【発明の開示】
【発明が解決しようとする課題】
【００１３】
特定の通信を傍受および監視するためには、ＬチャネルとＣチャネルとの間の実際のマッピングを明らかにせねばならない。多数のＣチャネルおよびＬチャネル、ならびに、例示された先行技術のネットワークのような衛星が使用する（公共の検査には開放されていない）専有の動的マッピング方式を考慮すると、これは容易な課題ではない。チャネル間のマッピングに対する稚拙な取り組みは、適用できたとしても、時間がかかり、非効率的であろう。
【００１４】
よって、当該技術において、ＬチャネルとＣチャネルとの間のマップを効率的に検出するための方法およびシステムを提供する必要がある。
【００１５】
当該技術において、ＬチャネルとＣチャネルとの間のマップを検出するための経済的な方法およびシステムを提供する必要がある。
【課題を解決するための手段】
【００１６】
本発明の実施形態によると、衛星通信システムのターゲット移動装置と主局との間の通信を傍受および監視するための装置および方法であって、移動装置と衛星との間の通信は、移動装置が選択した第１バンドスポットビームを用いることにより達成され、衛星と主局との間の通信は、広帯域第２バンドリンクを用いることにより達成され、かつ、衛星は、第１バンド周波数から第２バンド周波数へのマッピング方式を変更するよう動作可能である装置および方法であって、前記装置は、
受信した信号を、少なくとも１つのＲＦ第２バンド受信機および少なくとも１つの第１バンド受信機にそれぞれ送信する少なくとも１つのＲＦ第２バンド受信アンテナおよび少なくとも１つのＲＦ第１バンド受信アンテナと、前記ＲＦ第２バンド受信機およびＲＦ第１バンド受信機からの信号を受信し、かつ、伝送波を複数の周波数群に分割する中間周波数ＲＦディストリビューターと、
ターゲット移動装置の識別コードおよび解読メッセージを抽出するための、第１バンド周波数スペクトルを順にカバーするよう調整されている複数の復調器と、
前記中間周波数ディストリビューターから第２バンド信号を受信し、受信した周波数をそれらの時間発生にしたがって分析およびマップし、前記周波数を前記第１バンド周波数と対応付ける広角マッピングユニットと、前記通信を記録および監視するための手段とを含むことを特徴とする装置および方法が提供される。
【００１７】
本発明の別の実施形態によると、通信システムの少なくとも１つの移動装置と主局との間の通信を傍受および監視するための装置であって、少なくとも１つの移動装置と衛星との間の通信は、移動装置が選択したＬバンドスポットビームを用いることにより達成され、かつ、衛星と主局との間の通信は、広帯域Ｃバンドリンクを用いることにより達成される装置であって、前記装置は、
受信した信号を、少なくとも１つのＲＦＣバンド受信機および少なくとも１つのＬバンド受信機にそれぞれ送信する少なくとも１つのＲＦＣバンド受信アンテナおよび少なくとも１つのＲＦＬバンド受信アンテナと、
コアースマッピングユニットおよびファインマッピングユニットに結合されている制御ユニットとを含み、
前記制御ユニットは、前記コアースマッピングユニットに、前記Ｃバンド周波数のうち少なくとも１本のＣバンド周波数を含むサブセットを実質的に同時に識別させるよう構成されており、該周波数のサブセットは、一見したところではＬバンド周波数へマップされており、前記サブセットの識別が、前記Ｃバンド周波数において検出されたエネルギーの分析を含み、
前記制御ユニットはさらに、前記ファインマッピングユニットに、前記Ｌバンド周波数へマップされている前記周波数のサブセットのうちＣバンド周波数を識別させるよう構成されていることを特徴とする装置が提供される。
【発明を実施するための最良の形態】
【００１８】
特定の実施形態および以下の図面の説明を参考に考慮すると、本発明がより容易に理解でき、かつ、そのさらなる利点および使用がよりたやすく明らかになる。
【００１９】
移動装置という語は、移動電話衛星装置、ＰＤＡなどに限らないがこれらを含む、無線通信媒体を通じた音声およびまたはデータおよびまたは映像通信が可能なあらゆる装置を包含する。
【００２０】
チャネル、周波数および周波数チャネルという語は、明細書および特許請求の範囲を通して交換可能に用いられている。
【００２１】
また、信号およびメッセージという語も、交換可能に用いられている。
【００２２】
本発明の実施形態にしたがって、傍受監視システム４０を図２に示し、さらに、図３のブロック図において詳しく述べる。
【００２３】
まず図２において、ＲＦパラボラアンテナ４２を用いて、衛星１２からダウンリンクＣバンド伝送１６を受信する。ダウンリンクＣバンド伝送１６は、単一の周波数帯域（Ｃバンドリンクと呼ぶ）を介して（アップリンクＬ３２からの）すべてのスポットビーム周波数チャネルを伝送するために用いられる。例示された先行技術のネットワークのＣバンドリンクには、２２５ＭＨｚの周波数範囲にわたる約５０００チャネルを伝えることのできる４つのトランスポンダーが存在する。
【００２４】
別のＲＦパラボラアンテナ４４を用いて、ダウンリンクＬバンドスポットビーム３４を受信する。例示された先行技術のネットワークの特定の実施形態によると、ＲＦアンテナ４４は、地域および再利用された外乱に応じた通常３〜７本のいくつかのスポットビームからの伝送を受信するように構成される。各スポットビームは、制御チャネルおよび４本のトラフィックチャネルを含む少なくとも１つの基本周波数チャネルユニットを収容している。例示された先行技術のネットワークの特定の実施形態によると、アンテナ４４が同時に受信するスポットビームのチャネル群は、Ｌバンドリンクを構成する１０８７本のチャンネルの一部に過ぎない。アンテナ４４の物理的位置およびその向きにより、さまざまなスポットビームが受信される。
【００２５】
ＣバンドへのＬバンドのマッピング方式は、時々衛星へ送られる一次ゲートウェイ局（ＰＧＷ）１０のＯ＆Ｍコマンドの結果、衛星によって定期的に再構築される。
【００２６】
Ｌバンドチャネル３４は、公共の検査には開放されていない専有のマッピング方式にしたがって衛星によりＣバンドチャネルへマップされる。したがって、伝送の両側を傍受することにより、電話ユニット２８とＭＥＳ３６との間で伝送される通信を監視可能とするためには、ＣバンドチャネルとＬバンドチャネルとの間のマッピングを絶えず検出し直す必要がある。
【００２７】
通信という語は、データ、および／または音声および／または映像を含む。
【００２８】
ここで図２に戻ると、この例によれば、アンテナ４４は、各チャネルが１より多くの呼を収容可能なほんの少数のトラフィックチャネルを各々含むほんの少数のスポットビームを受信することができるので、結果として直ちに、電話２８と３６との間の通話とともに、受信された（例えば、７本の）Ｌバンドスポットビームを通じて同時に伝送されている呼が他に複数存在する可能性がある。
【００２９】
図３では、本発明の実施形態に係るセルラー式傍受システムのブロック図を示す。
【００３０】
アンテナ４２が受信したダウンリンクＣバンドにおけるＣバンド伝送は、Ｃバンド受信機５０に供給され、該受信機５０は、中間周波数（ＩＦ）ディストリビューター５４へ信号を送信する。
【００３１】
アンテナ４４が受信したダウンリンクＬバンドにおけるＬバンド伝送は、Ｌバンド受信機５２に供給され、該受信機５２は、ＩＦディストリビューター５４へ信号を送信する。
【００３２】
以下にさらに詳細に説明するように、ダウンリンクＬバンドにおける受信処理には、（１０８７本のＬバンドチャネルのうち）受信されたスポットビームのチャネルの走査が含まれる。これは、アップリンク制御チャネルであるスポットビームの周波数制御チャネルＦＣＣＨ、放送制御チャネルＢＣＣＨおよび共通制御チャネルＣＣＣＨを発見するためのものである。
【００３３】
図３に示されているように、ＩＦディストリビューター５４は、Ｃバンドスペクトルが分析される広帯域分析ユニットＷＡＵ５６に結合されている。特定の実施形態によると、ＷＡＵは、４つのトランスポンダーを通じてことによるとＣバンドスペクトル（２２５ＭＨｚ）全体をカバーするよう構成される。以下にさらに詳細に説明するように、ＷＡＵは、各チャネルの内容を特定して分析しなくとも、ダウンリンクＣバンドリンクにおける複数のチャネルを迅速かつ実質的に同時に分析可能なユニットである。
【００３４】
また、図３は、（一連の復調器を収容している）復調器ユニット５８に結合された復調器サーバー６０をも示しており、該復調器ユニット５８はさらにはＩＦディストリビューター５４に結合している。復調器は、ＣバンドチャネルとＬバンドチャネルとの間のマッピングのために、（ことによるとＷＡＵにより施された分析の次に）ＣバンドチャネルおよびＬバンドチャネルの内容を分析するよう構成されている。これらはすべて以下にさらに詳細に説明する。各復調器は、狭い周波数帯域をカバーし、かつ、コストの問題から、ユニット内の復調器の数は、Ｃバンドスペクトル全体およびＬバンドスペクトルをカバーするのに必要な数より大幅に少ない。ＷＡＵ５６と復調器ユニット（５８および６０）との相互作用により、復調器の効率的な割振りが生じ、これにより、マップされたＣバンドチャネルとＬバンドチャネルとの検出を経済的に完了することができる。ＷＡＵと復調器ユニットとの相互作用は、以下にさらに詳細に説明するように、ＡＭＳ復調器サーバー（６０）により制御される。
【００３５】
図３にも示されているように、この例によるとＦＴＰ音声サーバー、ファックス印刷ユニット、モデムサーバーなどを含むさまざまなユニット６８は、マップされたＣ／Ｌチャネルを通じて伝送されるデータを受信し、これにより、監視ユニット７０が、暗号化された音声呼の記録およびログ記録、ターゲット／アクティブＭＥＳの履歴の位置の特定などのうちの１つ以上をより容易に行うことができる。監視は、これら特定の例に拘束されない。例えば、（話者を識別するための）音声分析を施すことなどを含んでもよい。
【００３６】
スーパバイザスタンド６６により、オペレータは、アクティブＭＥＳの位置、そのステータス表示およびそれに属するデータを見ることができる。これにより、スーパバイザは、マッピングプロセスおよび走査プロセスに従事することができ、かつ、システムを手動で操作および制御することができる。
【００３７】
動作中に、（ある実施形態によると）、Ｃバンドアンテナから受信した信号は、ＩＦディストリビューター５４から、Ｃバンドスペクトルが分析される広帯域分析ユニットＷＡＵ５６へ転送される。該分析は、一見したところではＣＣＣＨ制御チャネルへマップされているダウンリンクＣチャネルにおけるランダムアクセス制御チャネル（ＲＡＣＨ）を発見するためのエネルギー測定および分析を含んでいる。分析データに基づいて、復調器のセットを（Ｃバンドにおける）発見されたチャネルに割振り、より微調整された分析を施すことにより、ダウンリンクＬバンドにおけるＢＣＣＨ（制御チャネル）へマップされたダウンリンクＣバンドにおけるＲＡＣＨチャネル（制御チャネル）を検出する。本発明のある実施形態に係る図３のシステムのその他の動作は、以下にさらに詳細に説明する。
【００３８】
当該技術に精通した者は、本発明が、図３のアーキテクチャによっても、図３に示した各モジュール／ユニットの機能および／または構造によっても拘束されないことを容易に理解するであろう。例えば、ＷＡＵは、コアースマッピングユニットの一例に過ぎず、復調器ユニットは、ファインマッピングユニットの一例に過ぎない。別の実施例によると、スーパバイザスタンドの機能は、特定の用途により異なる。
【００３９】
特定の説明は、例示されている先行技術のＧＳＭ衛星に属する非限定的な実現に言及したものである。本発明は、特定の実施化に拘束されない。さらに、本発明は、エイセス（the Aces）のようなここに例示されている先行技術のネットワーク以外の衛星にも同様に適用可能である。よって、例示されている先行技術のネットワークを参照した以下の説明は、一例に過ぎず、他の衛星システムに必要な変更を加えて言及してもよい。
【００４０】
本発明の実施形態に係る動作順序の説明に先立って、図４に注目する。図４は、本発明の実施形態に係るＣ／Ｌチャネルをマップするためのモジュールのブロック図を示す。かくして、
４０１  ＤｍＣ−復調ユニット制御：
ＡＭＳサーバーの自動動作およびスーパバイザ（６６）により発せられたポリシーにしたがって、ＤｍＵにおける復調ボードの割振りを制御する。ＡＭＳは、復調器ユニット（ＤｍＵ）およびＷＡＵユニットをそれぞれそのＤｍＵサブユニットおよびＷＡＣサブユニットを介して制御する。通常の動作において、対象となるスポットビームの関連する周波数が（ＣバンドとＬバンドの両方において）すべて分かっている間は、その主な機能は、ＧＭＲ１メッセージを（Ｌバンドのみにおいて傍受されるように）正しい順番に並べ替え、さらなる処理のためにバックエンドサーバー（６４）へ送ることである。アップリンクＬバンドの関連するＣバンド周波数が不明な場合、ＡＭＳは、マッピングモードに入り、適切なＣバンドを発見してＬバンド周波数へマップするための特定の動作を行う。これらの動作はすべて、以下のＡＭＳサブユニットにより行われる。
【００４１】
４０２  ＷＡＣ−広帯域分析ユニット制御：
ＷＡＵ活動を制御する。ＭａＰおよびＡＴＰからの要求を受信し、ＷＡＵからの分析情報を返す。
【００４２】
４０３  ＭａＰ−マッピングプロセス：
Ｃバンドマッピングを行う役割を持つ。ＤｍＵからメッセージを受信し、それらにマッピング情報を付加してＡＴＰへ転送するか、または、新たなマッピング手続きを開始した後に新たにマップされたメッセージをＡＴＰへ転送する。また、ＣバンドＲＡＣＨ周波数の定常的走査を制御する。
【００４３】
４０４  ＡＴＰ−取得タイミングプロセス：
すべてのＬバンドメッセージおよびＣバンドメッセージを取得する役割を持つ。ＡＴＰは、これらメッセージの形式を変換し（ＣバンドメッセージをアップリンクＬバンドメッセージへと変換し）、正しい順番でＬ３メッセージ処理ユニットへ送る。ＢＣＣＨ情報を用いて、Ｌバンドチャネルをすべてカバーする。ＢＣＣＨおよび同期バースト情報を用いて、現在のシステムタイミング（フレーム番号およびタイムスタンプ）を求める。ＤｍＵまたはＭａＰからの受信メッセージの各々に対して、周波数タイムスロットヘッダー情報を管理可能なチャネル情報へと変換し、かつ、タイムスタンプをフレーム番号へと変換する。ＡＧＣＨメッセージおよびＳＡＢＭメッセージは例外的であって、まず、ＭａＰへマッピングのために転送される。
【００４４】
詳細なフローチャートの説明に移る前に、図４Ｂに注目する。図４Ｂは、本発明のある実施形態に係るコアース動作およびファイン動作の一般化したブロック図を示す。ある実施形態によると、コアース動作およびファイン動作は、ＡＭＳモジュール６０により制御される。よって、ある実施形態によると、ＷＡＵユニット４１１（図３の５６も参照）は、例えば、（以下により詳細に説明する）候補ＳＡＢＭチャネルを識別するために、（エネルギーに基づいた）コアース分析（４１２）を得るためのそれ自体知られているＦＦＴ広帯域分析ユニットを用いる。候補ＳＡＢＭチャネルを識別した後、適切な制御コマンドが、「ファイン動作」順序をトリガし、（これら特定の実施形態によれば）この求めにより、候補チャネルの内容を分析するために変調器のバンクから変調器を割振り（４１３）、かつ、適切なＬ／Ｃマッピングを得る（４１４）。
【００４５】
これを念頭において、ここで図５Ａに注目する。図５Ａは、本発明の実施形態に係る動作順序の概略を示すフローチャートを示す。
【００４６】
示されているように、（図３参照、アンテナ５２において受信された）Ｌバンド伝送を受信し、それ自体知られている手法で放送制御チャネル（ＢＣＣＨ）を発見する５０Ａために、適切な復調器を（想起されるように、ほんの少数のＬバンドスポットビームを含む）ダウンリンクＬバンド伝送に割振る。次に、アクセス認可信号（ＡＧＣＨ）の数をカウントすることにより、呼率を測定する（５１Ａ）。なお、各ＡＧＣＨ信号は、呼の設定要求（ＲＡＣＨメッセージ）に対して衛星（図２の１２）から提示された認可を示す。こうして、ＢＣＣＨ制御チャネルを発見し、ダウンリンクＬバンドにおいて呼率を測定する。
【００４７】
ダウンリンクＣバンドリンクにおいて、ＲＡＣＨチャネルを追跡する。想起されるように、発呼しようとする各ＭＥＳは、アップリンクＬチャネルにおいてランダムアクセス制御（ＲＡＣＨ）要求を提示する。アップリンクＬバンドにおける通信は傍受できないので、ダウンリンクＣバンドチャネルにおいてＲＡＣＨ要求を傍受する必要がある。一旦ＲＡＣＨチャネルの候補が発見され、かつ、（計算されたＲＡＣＨメッセージの数にしたがって）呼率が測定されると、同一または同一に近い呼率に基づいてアップリンクＬバンドにおけるＣＣＣＨ（制御）チャネルと、ダウンリンクＣバンドにおけるＲＡＣＨチャネルとの間でマップを設定できる。ダウンリンクＣバンドにおいてＲＡＣＨチャネルを発見するためには、復調器を各Ｃバンドチャネルに割振り、かつ、それ自体知られている特徴を有するＲＡＣＨメッセージパターンを追跡することが望ましかったであろう。しかしながら、非常に多くのＣバンドチャネルが存在し、かつ、本発明のある実施形態によると、入手可能な復調器の数がそれより大幅に少ないので、第１のコアース分析を行う。このために、（一実施形態によると、ＷＡＵユニット内部で実施されるＦＦＴ技術によりなされたスペクトルエネルギーピクチャの集まりに基づく広帯域分析ユニット（ＷＡＵ）のようなコアースマッピングユニットは、複数のダウンリンクＣバンドチャネルに同時に適用され、かつ、Ｃバンド活動およびより具体的にはチャネルを通じて伝送されるデータのエネルギーを測定することにより、ＲＡＣＨチャネルを発見することができる。測定されたエネルギーに基づき、ＲＡＣＨ信号（要求）のパターンを求めることができる。例えば、ＲＡＣＨ信号の持続時間は、１５ミリ秒であり、これは、測定されたエネルギーに応じてそれ自体知られている手法で求めることができる。
【００４８】
ここで図５Ａに戻ると、ＷＡＵがダウンリンクＣバンドチャネルに適用され、かつ、ＷＡＵ（図４の４０２参照）がＲＡＣＨパターンを求めるためのエネルギーを測定する５２Ａ。ＲＡＣＨパターンを求めた後、単にＲＡＣＨ要求の数をカウントすることにより呼率を測定できる（５３Ａ）。また図５Ａにも示されているように、ＢＣＣＨチャネルは、Ｌバンドに位置しており（５０Ａ）、ＢＣＣＨチャネルを発見した後、ＳＢ＿ＭＡＳＫデータを抽出し（５６Ａ）、次いで、呼率を測定できる（５１Ａ）。ここで、ＢＣＣＨにおいて測定される呼の数が、ＲＡＣＨチャネルにおいて測定されるものと比較され（５４Ａ）、実質的に同一結果の場合（５５Ａ）、これは、Ｌバンド（ＢＣＣＨ）における制御チャネルとＣバンドにおけるあるいはほんの少数の候補制御チャネル（以下、候補ＲＡＣＨとする）とが一致することを意味する。
【００４９】
次に、（特定の候補ＲＡＣＨチャネルのなかから）ＬバンドにおけるＢＣＣＨチャネルへマップされているＣバンドにおける抽出制御チャネルを検出せねばならないであろう。なお、（候補ＲＡＣＨチャネルを検出する）この手続きは、各Ｃチャネルの内容をはっきりと分析しなくとも、短い時間間隔で実質的に同時に、ＷＡＵ（例えば、高速ＦＦＴユニット）を用いて非常に多くのＣチャネルに施された。
【００５０】
本発明のある実施形態によると、（候補ＲＡＣＨのうちの）Ｌバンド制御チャネルとＣバンド制御チャネルとの間の明白なマッピングは、一致したＬバンドチャネルとＣバンドチャネルとから抽出された同一のスポットビーム番号（ＳＢ−ＭＡＳＫ）に基づいて求められる。このために、復調器を候補ＲＡＣＨチャネルに割振り（５７Ａ）、チャネルを通じて伝送する（例えば、呼の理由、優先順位、サービスプロバイダの識別、ＧＰＳ位置などの）データの内容を分析して、各スポットビーム独自のＳＢ＿ＭＡＳＫを抽出する（５８Ａ）。ここで、ＲＡＣＨから抽出されたＳＢ＿ＭＡＳＫ（５８Ａ）とＢＣＣＨから抽出されたＳＢ＿ＭＡＳＫ（先のステップ５６Ａ参照）とを識別のために比較し（５０１Ａ）、（ダウンリンクＬバンドにおける）ＢＣＣＨから抽出されたＳＢ＿ＭＡＳＫデータ（５６Ａ）と（ダウンリンクＣバンドにおける）ＲＡＣＨから抽出されたＳＢ＿ＭＡＳＫデータ（５８Ａ）とが同一の場合、それぞれのチャネルがマップされた制御チャネルとして発表される（５９Ａ）。一致しない場合、復調器の割振りがもう一度実施される（５７Ａ）。
【００５１】
上に述べた制御チャネルマッピングを、図６および図７を参照してここでさらに説明する。図６および図７は、本発明の実施形態に係るＬバンド処理およびＣバンド処理を示す。この実施形態はまた、図４のアーキテクチャにも言及する。
【００５２】
５０１  ＡＴＰ（図４の４０４）が、Ｌバンド処理を開始する。
【００５３】
５０２．  ＡＴＰが、ＷＡＵからＦＣＣＨ周波数およびタイミングを受信する。
【００５４】
５０３．  ＡＴＰが、ＢＣＣＨ周波数に対する復調ボードの割振りを要求する。
【００５５】
５０４．  ＤｍＣが復調器をＢＣＣＨに割振る。ＢＣＣＨは通話率の測定を可能とし、このことが、後に他のなかから類似の推定電話会話率に基づいてＣバンドにおける対応のチャネルを識別するのに役立つ。
【００５６】
５０５．  ＢＣＣＨ情報がＬバンドから受信される。
【００５７】
５０６．  ＡＴＰが、ＢＣＣＨ情報を処理し、カバー優先順位にしたがってさらなるＢＣＣＨおよびＣＣＣＨ周波数に対する資源の割振りを要求する。これが必要とされるのは、同じスポットビームにおいて（各々が制御チャネルとほんの少数のトラフィックチャネルとからなる）１より多くの基本チャネルユニットが存在する場合があるかもしれないからである。この場合、さらなるＢＣＣＨを探索する。例えば、使用中のスポットビームにおいて、２本以上の制御チャネル（ＢＣＣＨ）が存在してもよい。なお、同じスポットビーム内のすべてのＢＣＣＨは、同じスポットビーム番号（ＳＢ−ＭＡＳＫ）を有している。
【００５８】
５０７．  ＡＴＰがＢＣＣＨ情報を処理して、各スポットビームに対するタイミング情報（フレーム番号）を抽出する。
【００５９】
ＡＴＰは引き続き、ＢＣＣＨ情報（チャネル構成およびタイミング）を監視する。これが必要とされるのは、とりわけ、アクセス認可ＡＧＣＨ信号の検出に役立つ（とりわけ、呼率の測定に役立つ）という理由からである。
【００６０】
最終的な効果は、そのように検出されたＢＣＣＨ信号に基づいて、ダウンリンクＬバンドチャネルにおける通話率が分かるというものであろう。
【００６１】
この実施形態により、ＭＥＳがアップリンクＬバンドにおいてＲＡＣＨ信号を伝送することが想起されるかもしれない。この信号をダウンリンクＣバンドにおいて検出する。かくして、
７０１．  ＣバンドＲＡＣＨ周波数に対する復調ボードの割振りを要求することにより、ＭａＰがＣバンドマッピングを開始する。
【００６２】
７０２．  ＭａＰがＷＡＵからＲＡＣＨ活動統計を受信し、これにより、測定されたエネルギーに基づいて）さまざまなＲＡＣＨ周波数に対するマッピング優先順位を、そして結果的にＲＡＣＨパターンを求める。ＭａＰは、ＲＡＣＨ活動率がＬバンドの対象となるスポットビームにおけるＡＧＣＨ活動と類似している周波数チャネルに対して復調器ボードを割振る。偶然、いくつかのＣバンドＲＡＣＨ周波数が同じ率であり、このため、ＭａＰがこれらのチャネルに複数の復調器を同時に割振ることもあるかもしれない。
【００６３】
７０３．  ＭａＰは、タイムアウトパラメータにしたがって、ＲＡＣＨ周波数に対する復調ボードの割振り解除および再割振りを要求し、すべてのマップされていないＲＡＣＨ周波数を繰り返し走査する。なお、（マップされたものよりむしろ）マップされていないＲＡＣＨデータを取り上げているのは、（ダウンリンクＬバンドチャネルにおける）ＢＣＣＨにすでにマップされている（ダウンリンクＣバンドチャネルにおける）ＲＡＣＨは、明らかに、Ｃ／Ｌマッピングを求めるためのさらなる処理を必要としないからである。また、Ｍａｐモジュールは、ＢＣＣＨ信号から由来した（かつ、ＡＴＰモジュールによってＭａｐモジュールに提供された−上記図５Ａ参照）呼率をすでに認識しているので、ダウンリンクＣバンドチャネルにおいて対応する呼率（すなわち、ＲＡＣＨ要求の測定された率）を測定することができる。マッピングのための候補ＲＡＣＨは、ＢＣＣＨにおいて測定された呼率と同一または同一に近い呼率を有する。
【００６４】
これにより、ＲＡＣＨとＢＣＣＨとの間の第１のコアースマッピングが求められる。以下の段階は、ＳＢ−Ｍａｓｋデータに基づいて精密なマッピングを求める方法を示す。
【００６５】
７０４．  ＢＣＣＨメッセージを、Ｌバンドから受信し、ＤｍＣからＡＴＰへと渡す。
【００６６】
７０５．  ＡＴＰが、ＢＣＣＨからスポットビーム中心位置およびＳＢ＿Ｍａｓｋパラメータを抽出し、ＭａＰへ渡す。言い換えると、ＡＴＰが、ＢＣＣＨからＳＢ＿Ｍａｓｋ信号を抽出し、Ｍａｐモジュールへ届ける。
【００６７】
７０６．  ＲＡＣＨメッセージ（チャネル要求）が、ＣバンドにおけるマップされていないＲＡＣＨ周波数の各々から受信され、ＤｍＣからＭａＰへと渡される。
【００６８】
７０７．  ＭａＰが、ＧＰＳ位置およびＳＢ＿Ｍａｓｋパラメータを抽出し、これらをＡＴＰから受信したデータと比較することによって、ＲＡＣＨが対象とするスポットビームに属するか否かを求める。言い換えると、ＢＣＣＨからのＳＢ＿Ｍａｓｋが、候補ＲＡＣＨのＳＢ＿Ｍａｓｋと比較され、一致する場合、（ダウンリンクＣバンドおよびダウンリンクＬバンドに対応する制御チャネルを示す）ＲＡＣＨ／ＢＣＣＨマッピングが求められる。
【００６９】
７０８．  ＲＡＣＨが関連している（すなわち、一致するＲＡＣＨのためのものである）場合、ＭａＰが、ＲＡＣＨからランダム参照、設定原因のようなデータを抽出して、記録する。これにより、特定のＲＡＣＨ（Ｃバンドにおけるユーザ特定の要求）を特定のユーザＡＧＣＨに関連付けることができる（ＡＧＣＨでは、アクティブなユーザ全員に対するメッセージが存在しているので、各特定ユーザに対する要求および応答が何であるかを識別する必要がある）。ＧＰＳデータは、ＭＥＳの正確な地理的位置を示し、そのため、例えば追跡目的の（例えば、通信用にＭＥＳを用いる指名手配中の人物を追跡する）見張りに有意義な価値がある。
【００７０】
言い換えると、図６および図７を参照して説明した実施形態にしたがって、（ダウンリンクＣバンド制御チャネルおよびダウンリンクＬバンド制御チャネルの）マップされた制御チャネルは、ＳＢ＿Ｍａｓｋデータに基づいて検出されている。
【００７１】
次のステップは、ＲＡＣＨに対応するＡＧＣＨを待つというものだろう。これが必要とされるのは、ＢＣＣＨ（ダウンリンクＬ）におけるＭＥＳに、要求が承認されたことを示すアクセス認可（ＡＧＣＨ）信号を送ることにより、衛星が、（ＭＥＳによって提示され、かつ、ダウンリンクＣチャネルにおいて傍受された［上記図５Ａ参照］）ＲＡＣＨ要求を「承認する」からである。これに加えて、ＡＧＣＨは、どのトラフィックチャネルを切り替えるかの指示を含む。
【００７２】
ＡＧＣＨが特定のＲＡＣＨメッセージと一致することを確認する必要がある。例えば、ダウンリンクＣチャネルにおいて傍受された同じＲＡＣＨチャネルには、例えば、３つの識別されたＲＡＣＨメッセージが存在するとする。これら３つのＲＡＣＨメッセージは、それぞれ３本の別個の通話を設定する要求を示す。ＡＧＣＨと一致するＲＡＣＨメッセージを識別することが望ましいであろう。なぜなら、ＲＡＣＨメッセージは、ＭＥＳの詳細を含んでいるだろうからである。一致の手続きは、各ユーザＲＡＣＨ要求に独自の要求参照データの比較に基づく。設定原因は、要求（例えば、ページング）の理由に情報を与え、かつ、ＧＰＳディスクリミネータ（ＡＧＣＨに存在し、かつ、ＣＲＣ動作により実際のＧＰＳから由来するパラメータ）は、位置一致を与える。これに加えて、ＡＧＣＨは、ＭＥＳが（ＡＧＣＨ制御チャネルから）切り替わる先の（Ｌバンドにおける）トラフィックチャネルの指定を含む。トラフィックチャネルは、ＭＥＳと衛星との間の（アップリンクおよびダウンリンクＬ方向の両方における）実際の伝送を行う働きをする。対応するＲＡＣＨおよびＡＧＣＨは、同じ、いわゆる、要求参照データを有する。
【００７３】
図５Ｂに例示されている本発明の実施形態に係る手続きは、ＡＧＣＨから（５０Ｂ）および候補ＲＡＣＨメッセージからの（５１Ｂ）要求参照パラメータの抽出を含み、かつ、ＲＡＣＨメッセージとＡＧＣＨとの対応する対は、同じ要求参照を有するものである（５２Ｂおよび５３Ｂ）。ＡＧＣＨと候補ＲＡＣＨとの参照要求間に相違がある場合、次の候補ＲＡＣＨを評価する（５４Ｂ）。
【００７４】
これで、制御チャネルがマップされた、すなわち、上に述べたように）識別されたＲＡＣＨおよびＡＧＣＨ信号に関連付けられたマップされたＣチャネルおよびＬチャネルである。次に、ＭＥＳの特徴が、ＧＰＳなどのＲＡＣＨ抽出データに基づいて入手可能である。
【００７５】
制御チャネルをマップすると、移動装置とその他の通信装置（例えば、電話２８とＭＥＳ３６）との間を伝送される実際の通信が通る対応のトラフィックチャネル同士のマッピングを検出することができるであろう。
【００７６】
ここで、トラフィックチャネル間のマッピングの検出を、ある実施形態にしたがって図５Ｂを参照しながら説明する。かくして、（アップリンクおよびダウンリンクの両方の）Ｌバンドにおけるトラフィックチャネルを、ＡＧＣＨメッセージから抽出する（５５Ｂ）。このデータにより、ＭＥＳが、制御チャネルからトラフィックチャネルへと切り替えられる（５６Ｂ）。なお、この例によると、ＢＣＣＨおよびＡＧＣＨは、同じ制御周波数チャネルおよびタイムスロット０内だが、異なるフレーム内に存在する。
【００７７】
次に、ダウンリンクＣバンドにおける対応するトラフィックチャネルを検出することが望ましいだろう。Ｃバンドにおける制御チャネルが（上に述べたように、ＲＡＣＨ信号の分析に基づいて）検出された一方で、衛星が、ＲＡＣＨ制御チャネルと同じ基本チャネルユニットの一部をなすトラフィックチャネルを割振るだろうという保証はない。よって、衛星の専有のマッピング方式は、数多くのＣトラフィックチャネルのうちいずれのトラフィックチャネルをマップしてもよい。
【００７８】
上に規定したように、一旦、ＭＥＳ３６が（ＡＧＣＨの受信およびＬバンドトラフィックチャネルへの切り替えに応じて）通信を設定すると、ＭＥＳと一次ゲートウェイとの間のＴＣＨリンク設定の手続きが始まる。ＭＥＳは、３２０ミリ秒の時間フレームにおいて４０ミリ秒毎に８回、非同期バランスモード（ＳＡＢＭ）メッセージを送る。各メッセージに対して、一次ゲートウェイからＳＡＢＭメッセージ応答を受け取る。このメッセージを用いて、適切なＣバンドＴＣＨチャネルを発見する。
【００７９】
したがって、マップされたトラフィックチャネルを検出するために、（ＡＧＣＨに応じた）ＭＥＳから生じるＳＡＢＭ伝送を識別し、かつ、ＳＡＢＭがＡＧＣＨに対応しているか否かを求めるための判定基準を適用することが望ましいだろう。
【００８０】
ある実施形態によると、求められるＳＡＢＭ信号を識別するために、ダウンリンクＣバンドにおける各々すべての可能性のあるトラフィックチャネルに割振るには復調器が十分に存在しないので、第１のコアース分析が行われる。このために、広帯域分析ユニット（ＷＡＵ）のようなコアースマッピングユニットがある。一実施形態によると、ＷＡＵは、その高解像度ＦＦＴ技術に基づいて（Ｃバンドにおけるすべてのトランスポンダーの）広帯域エネルギーピクチャを提供する。これらのエネルギーピクチャは、バースト活動を識別可能な率で、複数のダウンリンクＣバンドチャネルに同時に適用される。したがって、ＷＡＵにより、Ｃバンドリンクの正確なエネルギーピクチャが与えられる。適切なＴＣＨチャネルを発見する判定基準は、それぞれのエネルギーバーストが、（ＡＧＣＨ）信号のタイミングと実質的に同一のタイミングである少なくとも１本のチャネルを識別することを含む。
【００８１】
ここで図５Ｂに戻り、エネルギーバーストを実質的に同時に測定するために、ダウンリンクＣバンドチャネルにＷＡＵを適用する（５７Ｂ）。
【００８２】
次に、バーストのタイミングを、ＡＧＣＨのタイミングと比較する。実質的に同一の（規定のタイムスロット内で近接した）エネルギーバーストタイミングを有するすべてのチャネルが、求められているＳＡＢＭメッセージを運ぶための候補（以下、候補ＳＡＢＭチャネルという）である（５８Ｂ）。なお、後者のプロセスは、高速であり、チャネルを通じて伝送されているデータの内容をはっきりと分析する必要はない。ここで、内容（後により詳細に説明するコンレストラン（ｃｏｎ  ｒｅｓｔａｕｒａｎｔ））を分析し、適切なＳＡＢＭメッセージを識別し、その結果、ダウンリンクＣチャネルにおける対応するトラフィックチャネルを識別するために、候補ＳＡＢＭチャネルに復調器を割振ることが可能であろう（５９Ｂ）。想起されるように、プロトコルによると、ＡＧＣＨの受信に応じて、ＳＡＢＭは８回送信される。よって、ＡＧＣＨのタイミングとその後のＳＡＢＭのタイミングは非常に近接しており、このことがまさに段階５８Ｂにおいて確認されたことであると理解される。
【００８３】
適切なＳＡＢＭメッセージは、ＳＡＢＭ手続きにおけるユーザを実際に識別し、かつ、両側のメッセージ（ＭＥＳからのＳＡＢＭメッセージおよびゲートウェイからのＳＡＢＭメッセージ）に存在する「ｃｏｎ  ｒｅｓｔａｕｒａｎｔ」パラメータに基づいて識別される。このテストには、ＳＡＢＭ候補チャネルの内容、主に、ｃｏｎ  ｒｅｓｔａｕｒａｎｔパラメータの分析が必要であり、これは、候補ＳＡＢＭチャネルに復調器を割振った後に実行可能である。因みに、後者のチャネル内容のファイン分析は、ＷＡＵを用いたエネルギーバーストの予備的なコアース分析（５７Ｂ）よりもはるかに時間がかかる一方で、ほんの少数のチャネル（候補ＳＡＢＭチャネル）にしか施されないので、ファインマッピングユニット（例えば、限られた数の復調器）を用いることができる。これに関連して、ある実施形態にしたがって、数千個の入手可能なＣバンドチャネルと比べてかなり少ない最大７０個の復調器が用いられることは注目に値する。
【００８４】
これらすべてを念頭において、図５Ｂに再度注目する。示されているように、候補ＳＡＢＭの「ｃｏｎ  ｒｅｓｔａｕｒａｎｔ」メッセージにより、ＬバンドＴＣＨチャネルを適切なＣバンドＴＣＨチャネルと一致させることができる。したがって、５００Ｂにおいて、両ＳＡＢＭからのｃｏｎ  ｒｅｓｔａｕｒａｎｔメッセージを比較し、一致する場合、それぞれのトラフィックチャネルをマップする（５０１Ｂ）。一致しない場合、他の候補ＳＡＢＭチャネルに復調器を割振るために、制御を５９Ｂへ再度転送する。ダウンリンクＬチャネルおよびＣチャネルにおいて対応するＳＡＢＭを発見した後、それぞれの一致するＳＡＢＭを運ぶチャネルが、ＬバンドおよびＣバンドのマップされたトラフィックチャネルとして示される。
【００８５】
ここで、解読復調、および／またはあらゆる内容に関連した処理（例えば、音声分析文脈関連分析、あるトピックまたは主題に属するデータの分析など）のようなトラフィックチャネルを通じて伝送されている通信を処理できるだろう（５０２Ｂ）。これにより、所望の用途に対して、ＭＥＳと他の通信装置との間で伝送されている通信を監視することが可能となるだろう。
【００８６】
ここで図８から図１０に注目する。図８から図１０では、上記図５Ｂを参照し、図４のアーキテクチャをも参照しながら説明した（ある実施形態に係る）マッピング順序を説明している。
【００８７】
ここで図８では、本発明の実施形態に係るＣバンドマッピング順序を示す。この実施形態により、対応するＲＡＣＨメッセージとＡＧＣＨメッセージとを発見する。かくして、
８０１．  ＡＧＣＨメッセージを、ＬバンドＢＣＣＨ周波数から受信し、ＤｍＣからＡＴＰへと渡す。
【００８８】
８０２．  ＡＴＰが、即時割当てメッセージ（すなわち、ネットワークからの要求）により示されているトラフィックチャネル周波数への復調ボードの割振りを要求する。これは、トラフィックチャネルデータがアクセス認可（ＡＣＧＨ）から抽出されることを意味する。トラフィックチャネルは、ＭＥＳが制御チャネルから切り替わる先の基本チャネルユニットにおけるチャネルを示す。なお、トラフィックチャネルへの切り替えは、まだ行われていない。
【００８９】
８０３．  ＡＴＰが、メッセージからフレーム番号を抽出する。そして、ＡＴＰが、そのフレーム番号に対応するタイムスタンプを計算する。
【００９０】
８０４．  ＡＴＰが、そのタイムスタンプ）とともに、また、ＡＧＣＨの要求参照パラメータとともに、ＡＧＣＨメッセージをＭａＰに渡す。
【００９１】
８０５．  ＭａＰが、ＡＧＣＨメッセージから要求参照パラメータを抽出し、それを（ＲＡＣＨの要求参照パラメータに基づいて）記憶されているＲＡＣＨメッセージと対応付ける。一致していれば、ＭａＰが、ＲＡＣＨ周波数をＡＧＣＨ周波数にマップする。その結果、（要求参照パラメータに基づいた）ＲＡＣＨとＡＧＣＨとの間のマッピングが達成される。これに加えて、ＲＡＣＨメッセージは、タイムスタンプにしたがって記憶される（以下の８０６参照）。
【００９２】
８０６．  ＭａＰが、タイムスタンプおよびアップリンク／ダウンリンクＬバンド周波数およびタイムスロット番号とともに、ＲＡＣＨメッセージとＡＧＣＨメッセージとの両方をＡＴＰへ渡す。
【００９３】
８０７．  ＡＴＰが、ＲＡＣＨメッセージおよびＡＧＣＨメッセージを（この順番で）用いて通常の動作を行う：対応するフレーム番号および生じているダウンリンク／アップリンクチャネルを調べ、これらパラメータとともにメッセージを出力する。ＲＡＣＨとこれに対応するＡＣＧＨのデータが、さらなる処理のためにＬ３モジュールへ渡される。
【００９４】
なお、Ｌ３処理は、データがダウンリンクＬバンド方向およびアップリンクＬバンド方向から直接傍受されたので、普通の手法でデータを処理できる。
【００９５】
ＲＡＣＨメッセージとＡＧＣＨメッセージとの間の対応関係を識別した後、本発明の実施形態に係るマッピング順序を次に説明する。以下の説明において、ＡＧＣＨメッセージとＳＡＢＭメッセージとの間の対応関係が識別され、かつ、トラフィックＣバンドチャネルとトラフィックＬバンドチャネルとの間のマッピングが検出される。
【００９６】
一般的な概念としては、ダウンリンクＬバンドにおいてＡＧＣＨ信号を追跡し、そこでトラフィックチャネルデータから抽出し、ＡＧＣＨ信号が検出されたのと実質的に同じタイミングで伝送されているＳＡＢＭ信号に基づいて、ダウンリンクＣバンドにおける対応するトラフィックチャネルをマップするというものである。なお、これは、（ダウンリンクＣバンドとダウンリンクＬバンドとにおける）トラフィックチャネル間のマッピングが演繹的に知られていない場合に行われる。図９を参照した説明は、ある実施形態に係る候補ＳＡＢＭを識別するためのコアースな（かつ、高速の）手続きを示し、図１０を参照した説明は、ある実施形態に係る内容分析に基づいたＬ／Ｃチャネルをマップするためのより特定的な（かつ、低速の）手続きを示す。かくして、まず図９では、
９０１．  ＡＧＣＨメッセージを受信すると、ＭａＰは、割振られているＬバンドトラフィックチャネル周波数が（ＲＡＣＨ−ＡＧＣＨマッピングとは独立に）マップされているか否かを確認する。
【００９７】
９０２．  マップされていれば、ＭａＰは、対応するＣバンドトラフィックチャネル周波数への復調ボードの割振りを要求し、マッピング手続きが行われる。これは、ＭＥＳがＬバンドにおけるトラフィックチャネルに切り替えられて、ダウンリンクＬチャネルにおいて通信が処理されることを意味する。これに加えて、ダウンリンクＣバンドにおける通信が処理され、これにより、ＭＥＳとその他の通信装置（例えば、図２におけるＭＥＳ３６と電話装置２８）との間の通信を監視する。
【００９８】
９０３．  マップされていなければ、ＭａＰが、ＡＧＣＨメッセージのタイムスタンプを調べ、チャネル割当てにおいて特定されたタイムスロットにおけるそのタイムスタンプ以降の特定のタイムウィンドウ中にアクティブ化された（ダウンリンクＣバンドにおける）すべてのトラフィック周波数のリストをＷＡＣに要求する。
【００９９】
９０４．  ＷＡＣは、（特定されたタイムスロット内のエネルギーバーストを識別することにより）Ｃバンド活動を調べ、アクティブ化された周波数のリストをログ記録して返す。
【０１００】
９０５．  ＭａＰは、（グループごとに、または、１つずつ）リスト上の各周波数への復調ボードの割振りを要求し、ＳＡＢＭフレームが伝送されていればちょうどそれを受信できる長さ−１フレーム期間（４０ミリ秒間）各周波数にとどまる。この実施形態によると、ＳＡＢＭは、８回連続で伝送される。よって、第１段階において、ダウンリンクＣバンドにおける候補ＳＡＢＭトラフィックチャネルが識別され（上記９０３、９０４参照）、これらの候補チャネルに対して復調器が割り当てられて、８回連続で伝送されるＳＡＢＭ信号を傍受する。（候補ＳＡＢＭチャネルのなかの）所与のＳＡＢＭトラフィックチャネルにおいて、両側のコンリファレンス（Ｃｏｎ  Ｒｅｆｅｒｅｎｃｅ）パラメータが同一であれば、後者が、ダウンリンクＬバンドにおける対応するチャネルにマップされる。
【０１０１】
ＡＧＣＨメッセージとＳＡＢＭメッセージとの間の対応関係を識別した後、図１０を参照して次に説明する。図１０は、本発明の実施形態に係るマッピング順序を示している。この実施形態によると、ＳＡＢＭ信号が、ダウンリンクＣバンドおよびダウンリンクＬバンドの両方において入手可能であると仮定すると、それぞれのＳＡＢＭにおける情報フィールド（より具体的には、「ｃｏｎ  ｒｅｓｔａｕｒａｎｔ」）に基づいて対応するＳＡＢＭをいかに識別するかの手続きが続き、一致する場合、対応するトラフィックチャネルがマップされる。かくして、
１００１．  先に割振られたＬバンドトラフィックチャネルから、ＳＡＢＭフレームを受信する。
【０１０２】
１００２．  ＡＴＰが、タイムスタンプおよび（Ｌバンドにおいて）生じている周波数およびタイムスロットとともに、ＳＡＢＭフレームをＭａＰへ渡す。
【０１０３】
１００３．  走査されたＣバンド周波数のいくつかから、ＳＡＢＭ（候補）フレームを受信する。
【０１０４】
１００４．  ＭａＰが、受信された各ＳＡＢＭの情報フィールド（ｃｏｎ  ｒｅｓｔａｕｒａｎｔ）をＡＴＰにより提供されたＳＡＢＭの情報フィールドと比較する。一致していれば、Ｃバンドトラフィックチャネル周波数を、Ｌバンドトラフィックチャネル周波数へマップする。
【０１０５】
１００５．  ＭａＰが、タイムスタンプおよびアップリンク／ダウンリンクＬバンド周波数およびタイムスロット番号とともに、両ＳＡＢＭフレームをＡＴＰへ渡す。
【０１０６】
１００６．  ＡＴＰが、両ＳＡＢＭフレーム（まず、アップリンクＳＡＢＭ［すなわち、ダウンリンクＣ］、そして、ダウンリンクＬＳＡＢＭ）を用いて通常の動作を行う：対応するフレーム番号および生じているダウンリンク／アップリンクチャネルを調べ、これらパラメータとともにメッセージを出力する。
【０１０７】
トラフィックチャネルのマッピングを検出する方法を説明した後、衛星が、専有の切り替え方式にしたがってＣ／Ｌチャネルを再度マップすることが想起される。
【０１０８】
よって、ＲＡＣＨチャネルが、ダウンリンクＣチャネルにおいて（上に述べたように）発見されると、（同じＭＥＳ電話が発する）次の呼から生じるＲＡＣＨメッセージが同じＲＡＣＨチャネルを通じて伝送されることにより、（このチャネルに割振られている復調器を用いて）該システムが、上に述べたようにＲＡＣＨ／ＡＧＣＨの識別、および、その後のマップされたトラフィックチャネルの検出を施すことができるものと考えられる。
【０１０９】
しかしながら、ある予測不能のタイミングで、衛星が（動的マッピング方式を用いて）Ｃ／Ｌチャネルを再度マップすることにより、（新たな発呼を示す）同じＭＥＳが発する新たなＲＡＣＨメッセージは、復調器により現在監視されているものとは異なるダウンリンクＣチャネルを通じて伝送されるものと考えられる。（Ｃバンドにおけるチャネルの全体数と比較して）Ｃバンドにおけるチャネルに割振られている復調器の数はほんの少数に過ぎないので、新たなＲＡＣＨメッセージが伝送されるＣバンドチャネルに割振られた復調器がない可能性が高い。最終的な効果は、トリガーしているＲＡＣＨメッセージが突き止められないので、次の呼を受けそこなうかもしれないというものであろう。この呼（および、もしかするとその後の他の呼）の受けそこないは、望ましくない結果をもたらすかもしれない。例えば、徹底的な見張りを受けている個人が当該ＭＥＳを用いている場合、（必要なだけ）この人物のその後の呼を傍受および監視することが非常に望ましいだろう。
【０１１０】
ある実施形態にしたがって、この状況を回避してもよい。よって、想起されるように、ＲＡＣＨメッセージの後にＡＧＣＨがくる。後者は、ダウンリンクＬバンドにおける同じＢＣＣＨ周波数チャネルを通じて伝送されており、ＢＣＣＨチャネルを「見失う」可能性はごくわずかである。したがって、ＡＧＣＨメッセージが発見され、かつ、対応するＲＡＣＨ信号が現在監視されているＣバンドチャネルにおいて識別されていないとき、ＲＡＣＨを見失うことは、衛星の再マップ手続きに起因することが想定される。
【０１１１】
この理解に基づいて、（本発明の非限定的な実施形態に係る）図５Ｂ、図９および図１０を参照して説明した処理を、対応するＳＡＢＭを発見するために施すことができ、それによって、マップされたトラフィックチャネルを検出することにより、システムが、ＲＡＣＨメッセージの受けそこないにも関わらず、次の呼の通信を監視することができる。
【０１１２】
上の説明は、ＲＡＣＨメッセージを見失ったにも関わらず、システムが、（ある実施形態にしたがって、ＡＧＣＨ／ＳＡＢＭ信号間の対応関係を用いて）マップされたトラフィックチャネルを検出し、かつ、そこを通じて伝送されている通信を監視することができるというシナリオに言及していた。
【０１１３】
しかしながら、ある実施形態にしたがって、「見失った」ＲＡＣＨメッセージをも追跡することが望ましい。なぜなら、それにより、同じＭＥＳが発する次のＲＡＣＨメッセージを識別し、（新たなＲＡＣＨから、ＭＥＳの位置のような重要情報を得る）ことができるからである。一旦、新たなＲＡＣＨチャネルが発見されると、それにより、次の再マッピングが起こるまで、ＲＡＣＨメッセージを傍受することができる。
【０１１４】
これを念頭において、図１１に注目する。図１１は、ある実施形態にしたがって、図４のアーキテクチャを参照して、見失ったＲＡＣＨを識別するシナリオを示している。この実施形態にしたがった内在的な想定は、ＷＡＵが、Ｃバンドチャネルにわたって（タイムスタンプを含む）エネルギー活動をログ記録しているというものである（例えば、上記図５Ａを参照した説明を参照のこと）。したがって、ＡＧＣＨメッセージと類似のタイムスロットにおいて起こったＣバンドにわたるエネルギー活動を対応付ける必要がある。これにより、候補ＲＡＣＨチャネルを識別し、これに復調器を割振り、候補ＲＡＣＨチャネルのうちの１本を通じて伝送される新たなＲＡＣＨメッセージを識別できるだろう。
【０１１５】
よって、一実施形態によると、
１１０１．  ＭａＰがＡＧＣＨメッセージを受信し、それより先に受信されたＲＡＣＨメッセージと一致しなかった場合、ＭａＰは、対応するＲＡＣＨ周波数を追跡しようとする。
【０１１６】
１１０２．  ＭａＰは、ＡＧＣＨメッセージから由来し、かつ、ＡＴＰによりこれに付加された追加のパラメータ−対応するＲＡＣＨメッセージがネットワークにより受信されたタイムスタンプを調べる。
【０１１７】
１１０３．  ＭａＰが、特定されたタイムスタンプで（またはその近くで）アクティブ化されたＲＡＣＨ周波数のリストを、ＷＡＣに要求する。
【０１１８】
１１０４．  ＷＡＣが、Ｃバンド活動ログを調べ、アクティブ化されたＲＡＣＨ周波数のリストを返す。
【０１１９】
１１０５．  ＭａＰが、（復調器をそれに割振ることを含む）ＷＡＣから受信したＲＡＣＨ周波数に高いマッピング優先順位を設定する。これらのチャネルは、今後、ＡＧＣＨ信号に対応するＲＡＣＨ信号を有するものと考えられる。
【０１２０】
以上、本発明をある程度詳細に説明したが、当該技術に精通した者は、以下の請求の範囲を逸脱することなく、さまざまな変更および修正を行ってもよいことを容易に理解するであろう。
【図面の簡単な説明】
【０１２１】
【図１】図１は、先行技術のネットワークアーキテクチャの線図である。
【図２】図２は、先行技術のネットワークと本発明の実施形態に係る傍受概念とを示す線図である。
【図３】図３は、本発明の実施形態に係るセルラー式傍受システムのブロック図である。
【図４】図４Ａは、本発明の実施形態に係るＣ／Ｌチャネルをマップするためのモジュールのブロック図を示し、図４Ｂは、本発明の実施形態に係るコアース動作およびファイン動作の一般化したブロック図を示す。
【図５】図５Ａ〜図５Ｂは、本発明の実施形態に係る動作順序の概略を示すフローチャートを示す。
【図６】図６は、本発明の実施形態に係るＬバンド処理を示す。
【図７】図７は、本発明の実施形態に係るＣバンド処理を示す。
【図８】図８は、本発明の実施形態に係るマッピング順序を示す。
【図９】図９は、本発明の別の実施形態に係るマッピング順序を示す。
【図１０】図１０は、本発明の別の実施形態に係るマッピング順序を示す。
【図１１】図１１は、本発明の別の実施形態に係るマッピング順序を示す。
【図１】
2008537431.tif 000003
【図２】
2008537431.tif 000004
【図３】
2008537431.tif 000005
【図４Ａ】
2008537431.tif 000006
【図４Ｂ】
2008537431.tif 000007
【図５Ａ】
2008537431.tif 000008
【図５Ｂ】
2008537431.tif 000009
【図６】
2008537431.tif 000010
【図７】
2008537431.tif 000011
【図８】
2008537431.tif 000012
【図９】
2008537431.tif 000013
【図１０】
2008537431.tif 000014
【図１１】
2008537431.tif 000015
【国際調査報告】
2008537431.tif 000016
2008537431.tif 000017
2008537431.tif 000018